(57)【要約】【課題】簡単な作業でコンクリートブロック相互の連結を確実に行える連結器を提供する。【解決手段】連結器は、（１）ボルト挿通孔１１ａ１が形成された矩形板状のボルト支承部１１ａと、該ボルト支承部１１ａの両端に一体形成された矩形板状の被固定部１１ｂと、を一体に有するコ字形状の本体１１と、（２）ネジ穴を有するナット１３と、（３）ボルト支承部１１ａのボルト挿通孔１１ａ１に差し込み可能で、且つ、ナット１３のネジ穴にねじ込み可能なネジ部を有するボルト１４と、を少なくとも備え、本体は連結対象となる一方のコンクリートブロックＣＢ１に固定され、ナットは他方のコンクリートブロックＣＢ２に固定されている。【選択図】図１
0003163507.tif 000002
【実用新案登録請求の範囲】
【請求項１】
連結対象となる一方のコンクリートブロックと他方のコンクリートブロックとを連結するための連結器であって、
該連結器は、（１）ボルト挿通孔が形成された矩形板状のボルト支承部と、該ボルト支承部の両端に一体形成された矩形板状の被固定部と、を一体に有するコ字形状の本体と、（２）ネジ穴を有するナットと、（３）ボルト支承部のボルト挿通孔に差し込み可能で、且つ、ナットのネジ穴にねじ込み可能なネジ部を有するボルトと、を少なくとも備え、
本体は、一方のコンクリートブロックにその連結面側及び側面側に開口を有するように形成された凹部において、ボルト支承部が一方のコンクリートブロックの連結面と略平行となるように、且つ、各被固定部の少なくとも一部が一方のコンクリートブロック埋設されるように、一方のコンクリートブロックに固定され、また、ナットは、ネジ穴の開口が位置する面が他方のコンクリートブロックの連結面と略平行となるように、且つ、該面を除く部分が他方のコンクリートブロックに埋設されるように、他方のコンクリートブロックに固定されており、
前記連結器は、一方のコンクリートブロックに固定された本体のボルト支承部のボルト挿通孔と他方のコンクリートブロックに固定されたナットのネジ穴の開口とが略合致するようにコンクリートブロック相互の連結面を位置合わせして当接させた後、ボルトのネジ部を本体のボルト支承部のボルト挿通孔に差し込んで該ネジ部をナットのネジ穴にねじ込むことによって、両コンクリートブロックの連結を行う。
【請求項２】
連結対象となる一方のコンクリートブロックと他方のコンクリートブロックとを連結器を用いて連結したコンクリートブロック連結構造であって、
該連結器は、（１）ボルト挿通孔が形成された矩形板状のボルト支承部と、該ボルト支承部の両端に一体形成された矩形板状の被固定部と、を一体に有するコ字形状の本体と、（２）ネジ穴を有するナットと、（３）ボルト支承部のボルト挿通孔に差し込み可能で、且つ、ナットのネジ穴にねじ込み可能なネジ部を有するボルトと、を少なくとも備え、
本体は、一方のコンクリートブロックにその連結面側及び側面側に開口を有するように形成された凹部において、ボルト支承部が一方のコンクリートブロックの連結面と略平行となるように、且つ、各被固定部の少なくとも一部が一方のコンクリートブロック埋設されるように、一方のコンクリートブロックに固定され、また、ナットは、ネジ穴の開口が位置する面が他方のコンクリートブロックの連結面と略平行となるように、且つ、該面を除く部分が他方のコンクリートブロックに埋設されるように、他方のコンクリートブロックに固定されており、
前記コンクリートブロック連結構造は、一方のコンクリートブロックに固定された本体のボルト支承部のボルト挿通孔と他方のコンクリートブロックに固定されたナットのネジ穴の開口とが略合致するようにコンクリートブロック相互の連結面を位置合わせして当接させた後、ボルトのネジ部を本体のボルト支承部のボルト挿通孔に差し込んで該ネジ部をナットのネジ穴にねじ込むことによって、両コンクリートブロックの連結が為されている。
【考案の詳細な説明】
【技術分野】
【０００１】
本考案は、連結対象となる一方のコンクリートブロックと他方のコンクリートブロックとを連結するための連結器と、連結対象となる一方のコンクリートブロックと他方のコンクリートブロックとを該連結器を用いて連結したコンクリートブロック連結構造に関する。
【背景技術】
【０００２】
側溝や暗渠等の各種コンクリート構造物は、通常、予め用意したコンクリートブロック（以下、単にブロックと言う）を現場にて連結することによって構築されている。この連結には一般に連結器が用いられており、該連結器には大別して（ＰＡ１）螺合カプラーを用いたタイプと（ＰＡ２）くさび挿入カプラーを用いたタイプとが存在する。
【０００３】
前記連結器（ＰＡ１）は、特許文献１に開示されるように、連結対象となる一方のブロックにその一部を埋設された棒材と、該棒材の露出部分に回転自在に取り付けられた雄ねじカプラーと、他方のブロックにその一部を埋設された棒材と、該棒材の露出部分に回転自在に取り付けられた雌ねじカプラーと、を備えている。この連結器（ＰＡ１）を用いてブロック相互を連結するときには、ブロック相互の連結面を位置合わせして当接させた後に、雄ネジカプラーと雌ねじカプラーとを螺合する作業が行われる。
【０００４】
一方、前記連結器（ＰＡ２）は、特許文献２に開示されるように、連結対象となる一方のブロックにその一部を埋設された棒材と、該棒材に取り付けられた楔孔付きカプラーと、他方のブロックにその一部を埋設された棒材と、該棒材に取り付けられた楔孔付きカプラーと、を備えている。この連結器（ＰＡ２）を用いてブロック相互を連結するときには、ブロック相互の連結面を位置合わせして当接させた後に、両カプラーの楔孔に中子（楔）を挿入する作業が行われる。
【０００５】
前記連結器（ＰＡ１）を用いたブロック相互の連結は、両カプラーの螺合に応じた連結力を確保できるものの、実際上は一方のカプラーを固定した上で他方のカプラーを回転させる必要があることから連結作業に比較的時間を要する。
【０００６】
一方、前記連結器（ＰＡ２）を用いたブロック相互の連結は、両カプラーの楔孔に中子（楔）を挿入するだけで連結が行えるため作業自体は簡単ではあるが、中子（楔）が楔孔から抜け出さないようにするためのボルト止め等が別途必要となることから連結作業に比較的時間を要する。
【先行技術文献】
【特許文献】
【０００７】
【特許文献１】特開昭６３−１１８４３３号公報
【特許文献２】特開平０７−０７６９９７号公報
【考案の概要】
【考案が解決しようとする課題】
【０００８】
本考案の目的は、簡単な作業でコンクリートブロック相互の連結を確実に行える連結器と、該連結器を用いてコンクリートブロック相互を連結したコンクリートブロック連結構造を提供することにある。
【課題を解決するための手段】
【０００９】
前記目的を達成するため、本考案は、連結対象となる一方のコンクリートブロックと他方のコンクリートブロックとを連結するための連結器であって、該連結器は、（１）ボルト挿通孔が形成された矩形板状のボルト支承部と、該ボルト支承部の両端に一体形成された矩形板状の被固定部と、を一体に有するコ字形状の本体と、（２）ネジ穴を有するナットと、（３）ボルト支承部のボルト挿通孔に差し込み可能で、且つ、ナットのネジ穴にねじ込み可能なネジ部を有するボルトと、を少なくとも備え、本体は、一方のコンクリートブロックにその連結面側及び側面側に開口を有するように形成された凹部において、ボルト支承部が一方のコンクリートブロックの連結面と略平行となるように、且つ、各被固定部の少なくとも一部が一方のコンクリートブロック埋設されるように、一方のコンクリートブロックに固定され、また、ナットは、ネジ穴の開口が位置する面が他方のコンクリートブロックの連結面と略平行となるように、且つ、該面を除く部分が他方のコンクリートブロックに埋設されるように、他方のコンクリートブロックに固定されており、前記連結器は、一方のコンクリートブロックに固定された本体のボルト支承部のボルト挿通孔と他方のコンクリートブロックに固定されたナットのネジ穴の開口とが略合致するようにコンクリートブロック相互の連結面を位置合わせして当接させた後、ボルトのネジ部を本体のボルト支承部のボルト挿通孔に差し込んで該ネジ部をナットのネジ穴にねじ込むことによって、両コンクリートブロックの連結を行う。
【００１０】
また、本考案は、連結対象となる一方のコンクリートブロックと他方のコンクリートブロックとを連結器を用いて連結したコンクリートブロック連結構造であって、該連結器は、（１）ボルト挿通孔が形成された矩形板状のボルト支承部と、該ボルト支承部の両端に一体形成された矩形板状の被固定部と、を一体に有するコ字形状の本体と、（２）ネジ穴を有するナットと、（３）ボルト支承部のボルト挿通孔に差し込み可能で、且つ、ナットのネジ穴にねじ込み可能なネジ部を有するボルトと、を少なくとも備え、本体は、一方のコンクリートブロックにその連結面側及び側面側に開口を有するように形成された凹部において、ボルト支承部が一方のコンクリートブロックの連結面と略平行となるように、且つ、各被固定部の少なくとも一部が一方のコンクリートブロック埋設されるように、一方のコンクリートブロックに固定され、また、ナットは、ネジ穴の開口が位置する面が他方のコンクリートブロックの連結面と略平行となるように、且つ、該面を除く部分が他方のコンクリートブロックに埋設されるように、他方のコンクリートブロックに固定されており、前記コンクリートブロック連結構造は、一方のコンクリートブロックに固定された本体のボルト支承部のボルト挿通孔と他方のコンクリートブロックに固定されたナットのネジ穴の開口とが略合致するようにコンクリートブロック相互の連結面を位置合わせして当接させた後、ボルトのネジ部を本体のボルト支承部のボルト挿通孔に差し込んで該ネジ部をナットのネジ穴にねじ込むことによって、両コンクリートブロックの連結が為されている。
【考案の効果】
【００１１】
本考案によれば、簡単な作業でコンクリートブロック相互の連結を確実に行える連結器と、該連結器を用いてコンクリートブロック相互を連結したコンクリートブロック連結構造を提供することができる。
【００１２】
本考案の前記目的とそれ以外の目的と、構成特徴と、作用効果は、以下の説明と添付図面によって明らかとなる。
【図面の簡単な説明】
【００１３】
【図１】図１（Ａ）及び図１（Ｂ）は本考案の第１実施形態に係るもので、図１（Ａ）はブロック相互が連結された様子を示す断面図、図１（Ｂ）は図１（Ａ）のＳ１−Ｓ１線に沿う断面図である。
【図２】図２（Ａ）及び図２（Ｂ）は本考案の第２実施形態に係るもので、図２（Ａ）はブロック相互が連結された様子を示す断面図、図２（Ｂ）は図２（Ａ）のＳ２−Ｓ２線に沿う断面図である。
【考案を実施するための形態】
【００１４】
［第１実施形態］
図１（Ａ）及び図１（Ｂ）は本考案の第１実施形態（連結器とコンクリートブロック連結構造）を示す。図中の１０は連結器、ＣＢ１は連結対象となる一方のコンクリートブロック（以下、一方ブロックＣＢ１と言う）、ＣＢ１ａは一方ブロックＣＢ１の連結面、ＣＢ２は連結対象となる他方のコンクリートブロック（以下、他方ブロックＣＢ２と言う）、ＣＢ２ａは他方ブロックＣＢ２の連結面である。
【００１５】
図１（Ａ）及び図１（Ｂ）に示した連結器１０は、金属製の本体１１と、金属製の２本の棒材１２と、金属製のナット１３と、金属製のボルト１４と、を備えている。
【００１６】
本体１１は、矩形板状のボルト支承部１１ａと、該ボルト支承部１１ａの両端に一体形成された矩形板状の被固定部１１ｂとを有しており、全体がコ字形状を成している。また、ボルト支承部１１ａの中央には、ボルト１４のネジ部（符号無し）を余裕をもって差し込むことが可能な大きさのボルト挿通孔１１ａ１が形成されている。各棒材１２はその一端部を各被固定部１１ｂの外面に溶接等によって固着されており、他の部分を各被固定部１１ｂから下方に突出している。ナット１３は円形や多角形等の外形を有していて、下面中央から上方に向かってネジ穴（符号無し）を有している。ボルト１４は６角形頭部を有する一般的なものであり、そのネジ部はナット１３のネジ穴にねじ込むことができる。
【００１７】
図１（Ａ）及び図１（Ｂ）から分かるように、本体１１は、一方ブロックＣＢ１にその連結面側及び側面側に開口を有するように形成された直方体形状の凹部ＣＢ１ｂにおいて、（ｉ）ボルト支承部１１ａの上面が一方ブロックＣＢ１の連結面ＣＢ１ａと略面一状態で略平行となるように、（ii）各被固定部１１ｂの内面を除く部分が一方ブロックＣＢ１に埋設されるように、一方ブロックＣＢ１に固定されている。また、本体１１の各被固定部１１ｂに固着された各棒材１２は、その全体が一方ブロックＣＢ１に埋設されている。
【００１８】
また、ナット１３は、（ｉ）ネジ穴の開口が位置する下面が他方ブロックＣＢ２の連結面ＣＢ２ａと略平行となるように、（ii）下面を除く部分が他方ブロックＣＢ２に埋設されるように、他方ブロックＣＢ２に固定されている。
【００１９】
一方ブロックＣＢ１と他方ブロックＣＢ２とを連結器１０を用いて連結するときには、一方ブロックＣＢ１に固定された本体１１のボルト支承部１１ａのボルト挿通孔１１ａ１と他方ブロックＣＢ２に固定されたナット１３のネジ穴の下面開口とが略合致するようにブロック相互の連結面ＣＢ１ａ及びＣＢ２ａを位置合わせして当接させる。続いて、一方ブロックＣＢ１の凹部ＣＢａ１内にその側面開口を通じてボルト１４を挿入し、該ボルト１４のネジ部を本体１１のボルト支承部１１ａのボルト挿通孔１１ａ１に下から差し込んで、該ネジ部をナット１３のネジ穴にねじ込む。
【００２０】
このねじ込みにより、ボルト１４の頭部が本体１１のボルト支承部１１ａの下面に圧接すると共に、他方ブロックＣＢ２が一方ブロックＣＢ１に相対的に引き寄せられて両連結面ＣＢ１ａ及びＣＢ２ａが圧接して、両ブロックＣＢ１及びＣＢ２が連結される。
【００２１】
この第１実施形態によれば、下記効果（Ｅ１）及び（Ｅ２）を得ることができる。
【００２２】
（Ｅ１）ボルト１４のネジ部を本体１１のボルト支承部１１ａのボルト挿通孔１１ａ１に差し込んで該ネジ部をナット１３のネジ穴にねじ込むだけの簡単な作業で、一方ブロックＣＢ１と他方ブロックＣＢ２との連結を確実に行うことができる。
【００２３】
（Ｅ２）本体１１のボルト支承部１１ａのボルト挿通孔１１ａ１はボルト１４のネジ部が余裕をもって挿入可能な大きさを有しているので、ブロック相互の連結面ＣＢ１ａ及びＣＢ２ａを位置合わせして当接させたときに本体１１のボルト支承部１１ａのボルト挿通孔１１ａ１とナット１３のネジ穴の下面開口とに多少のズレが生じた場合でも、ボルト１４のネジ部を本体１１のボルト支承部１１ａのボルト挿通孔１１ａ１に差し込んで該ネジ部をナット１３のネジ穴にねじ込む作業を的確に行うことができる。
【００２４】
［第２実施形態］
図２（Ａ）及び図２（Ｂ）は本考案の第２実施形態（連結器とコンクリートブロック連結構造）を示す。この第２実施形態が前記第１実施形態と異なるところは、
・連結器１０の本体１１を、ボルト支承部１１ａの上面が一方ブロックＣＢ１の連結面Ｃ  Ｂ１ａよりも距離Ｄだけ内側に位置するように、一方ブロックＣＢ１に固定した点
にある。他の構成は第１実施形態と同じであるため、同一符号を用いてその説明を省略する。
【００２５】
一方ブロックＣＢ１と他方ブロックＣＢ２とを連結器１０を用いて連結するときには、前記第１実施形態と同様に、一方ブロックＣＢ１に固定された本体１１のボルト支承部１１ａのボルト挿通孔１１ａ１と他方ブロックＣＢ２に固定されたナット１３のネジ穴の下面開口とが略合致するようにブロック相互の連結面ＣＢ１ａ及びＣＢ２ａを位置合わせして当接させる。続いて、一方ブロックＣＢ１の凹部ＣＢａ１内にその側面開口を通じてボルト１４を挿入し、該ボルト１４のネジ部を本体１１のボルト支承部１１ａのボルト挿通孔１１ａ１に下から差し込んで、該ネジ部をナット１３のネジ穴にねじ込む。
【００２６】
このねじ込みにより、ボルト１４の頭部が本体１１のボルト支承部１１ａの下面に圧接して該ボルト支承部１１ａが距離Ｄに相当する隙間を利用して略山状に撓むと共に（図２（Ａ）及び図２（Ｂ）の矢印を参照）、他方ブロックＣＢ２が一方ブロックＣＢ１に相対的に引き寄せられて両連結面ＣＢ１ａ及びＣＢ２ａが圧接して、両ブロックＣＢ１及びＣＢ２が連結される。
【００２７】
この第２実施形態によれば、前記第１実施形態と同様の効果（Ｅ１）及び（Ｅ２）を得ることができる他、下記効果（Ｅ３）を得ることができる。
【００２８】
（Ｅ３）ボルト１４のネジ部を本体１１のボルト支承部１１ａのボルト挿通孔１１ａ１に差し込んで該ネジ部をナット１３のネジ穴にねじ込むときに、該ボルト支承部１１ａを距離Ｄに相当する隙間を利用して山状に撓ませることができるので、該撓みに伴うボルト支承部１１ａの弾性力によって一方ブロックＣＢ１の連結面ＣＢ１ａと他方ブロックＣＢ２の連結面ＣＢ２ａとの圧接力を増加することができる。これにより、両ブロックＣＢ１及びＣＢ２の連結をより強固に行うことができる。
【００２９】
［他の実施形態］
（１）前記第１実施形態及び第２実施形態では、連結器１０の本体１１の各被固定部１１ｂの内面を除く部分を一方ブロックＣＢ１に埋設したものを示したが、各被固定部１１ｂの全体を一方ブロックＣＢ１に埋設して固定力の強化を図るようにしても良い。
【００３０】
（２）前記第１実施形態及び第２実施形態では、連結器１０の本体１１の各被固定部１１ｂに固着された各棒材１２の全体を一方ブロックＣＢ１に埋設したものを示したが、各棒材１２を一方ブロックＣＢ１の内部鉄筋に結合して固定力の強化を図るようにしても良い。
【００３１】
（３）前記第１実施形態及び第２実施形態では、連結器１０として本体１１の各被固定部１１ｂに各棒材１２を固着したものを示したが、各被固定部１１ｂのみでも十分な固定力が確保できる場合には該連結器１０から各棒材１２を除外しても良い。この場合、各被固定部１１ｂの外面に１以上の突出片を一体形成しておけば、加えて各被固定部１１ｂに貫通孔を形成しておけば、各棒材１２が無くても固定力の強化を図ることができる。
【００３２】
（４）前記第１実施形態及び第２実施形態では、連結器１０としてコ字形状の本体１１を有するものを示したが、該本体１１に各被固定部１１ｂの下端間を結ぶ矩形板部分を一体に形成して本体の形状を矩形枠状としても良い。この場合、矩形板部分の内面を除く部分、或いは、全体を一方ブロックＣＢ１に埋設すれば、固定力の強化を図ることができる。
【符号の説明】
【００３３】
ＣＢ１，ＣＢ２…コンクリートブロック、ＣＢ１ａ，ＣＢ２ａ…連結面、ＣＢ１ｂ…凹部、１０…連結器、１１…本体、１１ａ…ボルト支承部、１１ａ１…ボルト挿通孔、１１ｂ…被固定部、１２…棒材、１３…ナット、１４…ボルト。
【図１】
0003163507.tif 000003
【図２】
0003163507.tif 000004
【手続補正書】
【提出日】平成22年8月17日(2010.8.17)
【手続補正１】
【補正対象書類名】実用新案登録請求の範囲
【補正対象項目名】全文
【補正方法】変更
【補正の内容】
【実用新案登録請求の範囲】
【請求項１】
連結対象となる一方のコンクリートブロックと他方のコンクリートブロックとを連結するための連結器であって、
該連結器は、（１）ボルト挿通孔が形成された矩形板状のボルト支承部と、該ボルト支承部の両端に一体形成された矩形板状の被固定部と、を一体に有するコ字形状の本体と、（２）ネジ穴を有するナットと、（３）ボルト支承部のボルト挿通孔に差し込み可能で、且つ、ナットのネジ穴にねじ込み可能なネジ部を有するボルトと、を少なくとも備え、
本体は、一方のコンクリートブロックにその連結面側及び側面側に開口を有するように形成された凹部において、ボルト支承部が一方のコンクリートブロックの連結面と略平行となるように、且つ、各被固定部の少なくとも一部が一方のコンクリートブロック埋設されるように、一方のコンクリートブロックに固定され、また、ナットは、ネジ穴の開口が位置する面が他方のコンクリートブロックの連結面と略平行となるように、且つ、該面を除く部分が他方のコンクリートブロックに埋設されるように、他方のコンクリートブロックに固定されており、
前記連結器は、一方のコンクリートブロックに固定された本体のボルト支承部のボルト挿通孔と他方のコンクリートブロックに固定されたナットのネジ穴の開口とが略合致するようにコンクリートブロック相互の連結面を位置合わせして当接させた後、ボルトのネジ部を本体のボルト支承部のボルト挿通孔に差し込んで該ネジ部をナットのネジ穴にねじ込むことによって、両コンクリートブロックの連結を行う連結器。
【請求項２】
連結対象となる一方のコンクリートブロックと他方のコンクリートブロックとを連結器を用いて連結したコンクリートブロック連結構造であって、
該連結器は、（１）ボルト挿通孔が形成された矩形板状のボルト支承部と、該ボルト支承部の両端に一体形成された矩形板状の被固定部と、を一体に有するコ字形状の本体と、（２）ネジ穴を有するナットと、（３）ボルト支承部のボルト挿通孔に差し込み可能で、且つ、ナットのネジ穴にねじ込み可能なネジ部を有するボルトと、を少なくとも備え、
本体は、一方のコンクリートブロックにその連結面側及び側面側に開口を有するように形成された凹部において、ボルト支承部が一方のコンクリートブロックの連結面と略平行となるように、且つ、各被固定部の少なくとも一部が一方のコンクリートブロック埋設されるように、一方のコンクリートブロックに固定され、また、ナットは、ネジ穴の開口が位置する面が他方のコンクリートブロックの連結面と略平行となるように、且つ、該面を除く部分が他方のコンクリートブロックに埋設されるように、他方のコンクリートブロックに固定されており、
前記コンクリートブロック連結構造は、一方のコンクリートブロックに固定された本体のボルト支承部のボルト挿通孔と他方のコンクリートブロックに固定されたナットのネジ穴の開口とが略合致するようにコンクリートブロック相互の連結面を位置合わせして当接させた後、ボルトのネジ部を本体のボルト支承部のボルト挿通孔に差し込んで該ネジ部をナットのネジ穴にねじ込むことによって、両コンクリートブロックの連結が為されているコンクリートブロック連結構造。